(57)【特許請求の範囲】
【請求項１】
断熱材からなる容器本体と、この容器本体の上端開口部を着脱自在に閉塞する断熱材からなる蓋体と、から構成される断熱容器であって、
前記断熱容器が前記蓋体を伴なって多段に積載された状態で、上位に位置する容器本体の底壁に形成された排水口から排出されてきた水を一時的に貯留するために、前記蓋体の上面に凹所を形成するとともに、この凹所内に一時的に貯留された水を、さらに、下位の容器本体の下面にまで導くために、この凹所から容器本体の下面にまで通じる排水通路を、前記蓋体と前記容器本体との間に連通して形成するとともに、
前記排水通路は、前記容器本体の側壁に形成された排水溝と、前記蓋体の外縁部に形成された孔とから構成され、
さらに、前記蓋体に形成された前記凹所は、前記排水通路から落下してくる水を貯留する第１の凹所と、この第１の凹所に隔壁を挟んで形成された第２の凹所とからなり、この第２の凹所内には、前記排水通路の一部を構成する孔が形成されていることを特徴とする断熱容器。
【請求項２】
前記容器本体の底壁に形成された排水口は、前記容器本体の下方に突出形成された筒状部を貫通して形成されているとともに、この筒状部が前記第１の凹所内に挿入されていることを特徴とする請求項１に記載断熱容器。
【請求項３】
前記容器本体の下面と、前記蓋体の上面との間には、重ねあわせたときに互いに位置決めされる凹凸嵌合部が形成されていることを特徴とする請求項１または２に記載の断熱容器。
【発明の詳細な説明】
【０００１】
【産業上の利用分野】
本発明は、魚や肉などの食品を冷蔵保存したり冷蔵状態で輸送したりする場合に好適な断熱容器に関する。
【０００２】
【従来の技術】
一般に、肉や魚など食品の冷蔵保存や冷蔵状態での輸送には、断熱性の高い発泡スチロール製の容器が使用され、その内部に食品を氷詰めにした状態で収容するようにしている。
ところで、このような容器では、氷が融けてできた水が内部に溜まるのを防止するため、図８に示したように、容器本体２０の適所に水を排出するための排出口４０を設けたものも提供されている。
【０００３】
【発明が解決しようとする課題】
しかしながら、このような排水口４０を備えた従来の断熱容器であっては、これらを多段に積載した場合に、蓋体が装着されているとしても、上位の容器本体２０から流れ出た水が下位の容器本体２０内に浸入して、収容されているイカなどの食品に触れることとなるので、不衛生であるという問題があった。
【０００４】
そして、例えば鮮魚の保存や輸送においては、容器本体２０の内部に氷と鮮魚を、またアイスクリームの持ち帰りの時には、容器本体２０の内部にアイスクリームとドライアイス等の蓄冷材をそれぞれ収容し、この上端開口部を蓋体で閉塞して使用することが広く行われている。
本発明は上記に鑑み、物品とともに氷などが収容されていたり、あるいは、冷凍された物品が収容されているとしても、これらから出てくる水を内部に滞留させることがなく、さらには、多段に積載されているとしても、下位の容器内に水を滞留させることのない断熱容器を提供することを目的とする。
【０００５】
【課題を解決するための手段】
上記目的を達成するための、本発明に係る冷蔵食品用断熱容器は、
断熱材からなる容器本体と、この容器本体の上端開口部を着脱自在に閉塞する断熱材からなる蓋体と、から構成される断熱容器であって、
前記断熱容器が前記蓋体を伴なって多段に積載された状態で、上位に位置する容器本体の底壁に形成された排水口から排出されてきた水を一時的に貯留するために、前記蓋体の上面に凹所を形成するとともに、この凹所内に一時的に貯留された水を、さらに、下位の容器本体の下面にまで導くために、この凹所から容器本体の下面にまで通じる排水通路を、前記蓋体と前記容器本体との間に連通して形成するとともに、
前記排水通路は、前記容器本体の側壁に形成された排水溝と、前記蓋体の外縁部に形成された孔とから構成され、
さらに、前記蓋体に形成された前記凹所は、前記排水通路から落下してくる水を貯留する第１の凹所と、この第１の凹所に隔壁を挟んで形成された第２の凹所とからなり、この第２の凹所内には、前記排水通路の一部を構成する孔が形成されていることを特徴としている。
【０００６】
このような構成による本発明によれば、氷などが融けて容器本体内に溜まった水は、容器本体の底壁から蓋体の上面に一端貯留され、さらに蓋体と容器本体との間の排水通路を経て、容器外方に排出されるので、容器から排出された水が下位の容器内に浸入してしまうようなことはない。
【０００７】
このような構成であれば、容器本体内の水の通り道が容器本体内の物品収容部を通ることがないので、排出されるべき水が再び食品に触れてしまうようなこともない。しかも排水通路の形成が容易になる。
【０００８】
また、前記容器本体の底壁に形成された排水口は、前記容器本体の下方に突出形成された筒状部を貫通して形成されているとともに、この筒状部が前記第１の凹所内に挿入されていることが好ましい。
このような構成であれば、排水されるべき水を確実に蓋体の凹所内に排出することができ、また外部の空気が容易本体内に侵入することを防止できる。
【０００９】
さらに、前記容器本体の底壁と、前記蓋体の上面との間には、重ね合わせたときに互いに位置決めされる凹凸嵌合部が形成されていることが好ましい。
このような構成であれば、多段に重ね合わされる容器本体と蓋体との組みつけが容易で、さらに荷崩れなどを防止することができる。
【００１０】
【発明の実施の形態】
以下、図面を参照しながら本発明の実施例について説明する。
図１に示したように、本発明の断熱容器は、発泡スチロール等の断熱素材からなる四角い箱形の容器本体１と、該容器本体１に着脱自在の同様の断熱素材からなる蓋体２とで構成されている。
【００１１】
上記容器本体１における四側壁の上端部には、その肉厚の内側半部に上方に突出する係合壁４が連続的に形成され、該係合壁４の外面４ａはやや外側に向けて傾斜する傾斜面となっており、これに対して蓋体２の下面には、上記係合壁４が嵌合する係合溝５が形成され、該係合溝５の外側の側面５ａが外面４ａに対応する傾斜面となっており、これらの係合壁４と係合溝５とが嵌合することにより、蓋体２が容器本体１に密に被着され得るようになっている。
【００１２】
また容器本体１の上面図である図２および図２のＣ−Ｃ線断面である図３に示したように、上記容器本体１の四隅に近い位置に、例えば、氷が解けてできた水などを排出するための排水口１５が形成されている。この排水口１５の形成された部分は、図３および図７に示したように、筒状になっており、この筒状部１９に貫通して形成されている。一方、この排水口１５の近傍に、縦方向の排水溝１７が形成されている。この排水溝１７は、容器本体１の側壁を貫いて形成されている。また、上記筒状部１９には、排水溝１７に向かって案内溝２１が形成されている。したがって、この排水口１５から落下してきた水は、排水溝１７側に向かって流れることになる。
【００１３】
さらに、容器本体１の内方は、図４に示すように、容器本体１の底壁１ａを中央部が最も高くなるように上方に向けて湾曲させた丸底に形成されている。このように丸底に形成したので、氷が融けてできた水は速やかに排水口１５に導かれる。なお、底壁１ａを高くするのは幅方向だけでなく、長手方向にも高くすることができる。
【００１４】
以下、蓋体２の構造について説明する。
図５は、蓋体２の上面図で、図６はその角部の斜視図である。
蓋体２は、図１、図５、図６に示したように、上面２ａの外周部は額縁状に一段高く形成され、その分中央部が低く形成されている。すなわち、上面２ａの外周部３１は幅Ｓが高く形成され、各コーナ部は、円弧状に形成されている。
【００１５】
そして、各コーナ部には、長孔状の凹所３０が形成されている。
この凹所３０は、第１の凹所３２と第２の凹所３４とからなるもので、その中央部に背の低い隔壁３６が形成されている。また、第２の凹所３４の底面には、孔３８が形成されている。そして、この外周側の孔３８は、断熱容器を多段に積載したときに、下位の容器本体１の排水溝１７の上方に位置する。このように、蓋体２の孔３８と、容器本体１の排水溝１７とは、上下に対向する位置に配置され、ここに排水通路が構成される。
【００１６】
また、蓋体２の上面２ａに容器本体１の底面を載置した場合に、容器本体１が落下しないように、両者の間に、凹凸嵌合部が形成されている。
すなわち、図５に示した蓋体２の上面２ａに、図７に示した容器本体１の底面が、位置決めされるように、容器本体１の底面には壁体２３が形成され、この壁体２３が蓋体２の上面２ａに形成された外周部３１の内側に配置される。
【００１７】
上記構成を有する断熱容器において、魚や肉などの食品は、氷詰めの状態、あるいは冷凍に近い状態で該容器内に収容される。そして、蓋体２で開口部が閉じられ、その状態で何段にも重ね合わされる。
今、上位の容器の中の氷が一部融けたとする。すると，氷が解けてできた水は、図４に示したように、中央が高くなって形成された底壁１ａを伝って積極的に各排水口１５に導かれ、これらの排水口１５から外部に流出される。すると、その水は下方の蓋体２上に滴下する。しかしながら、蓋体２には、水を一時的に蓄えるための凹所３０が直下に形成されているため、上位の容器本体１から落下した水は、図６に示したように、先ず、第１の凹所３２内に落下する。第１の凹所３２内に落下した水の量が次第に多くなると、仕切り用の隔壁３６を乗り越えて、今度は、第２の凹所３４内に流れるようになる。
【００１８】
すると、この第２の凹所３４内には、孔３８が形成されているため、この孔３８から下方に落下する。さらに、孔３８から水が落下すると、今度は、下方の容器本体１の孔１７に流れる。すなわち、蓋体２と容器本体１との間の排水通路を通って、そのまま容器外方に排水される。
このように、本実施例によれば、幾段にも重ねられて、上の段の容器本体１内の氷が融けて下方の蓋体２の上に落下しても下位の容器本体１内に流れるようなことはなく、先ず最初に第１の凹所３２内に貯留される。そして、この第１の凹所３２内の水嵩が高くなり、隔壁３６の高さに達すると、その水は、第２の凹所３４内に流れ、その底部の孔３８から下方に排出される。孔３８の下方には、容器本体１の排水溝１７が形成されているため、今度は排水溝１７を通り、しかる後、蓋体２の第２の凹所３４内に直接、流れここから下方に排出される。
【００１９】
一方、時間の経過とともに、第１の凹所３２内には、常時水が滞留するようになり、この水が、上方の容器本体１の筒状部１９に形成された排水口１５を閉塞しているため、排水口１５を通じて暖かい外気が容器内に流入することはない。しかも、底壁１ａを中央ほど高くしたので、氷が融けてできた水は速やかに排水口１５を介して凹所３０内に案内されることとなる。したがって、氷が融け出てくる早い時期から内外の連通を遮断することができる。
また、上記各実施例では４個の排水口１５を設けているが、４個に限るものではなく、適所に少なくとも１個設ければ良い。
【００２０】
また、容器本体の下面と蓋体の上面との間に構成される凹凸嵌合部は、実施例に限定されない。互いに位置決めされる形状であれば、どのような凹凸嵌合部であっても良い。
【００２１】
【発明の効果】
このように本発明によれば、容器本体内部に排水口を設け、蓋体の上面に凹所を設け、さらに、この凹所から容器の外方に至る排水通路を設けたので、例えば、氷が解けてできる水を容器本体の排水口から、蓋体の凹所、さらには、蓋体と容器本体とに連通する排水通路を介して外方に導いて排出することができる。したがって、内部に収容した物品などが融け出た水などに晒されることはない。
【００２２】
また、このような構成によれば、凹所内に水を滞留させて排水流路の一部を常に閉塞させることができるので、氷が解け出してくる早い時期から排水口を通じて暖かい外気が容器内に流入するのを確実に防止することができ、冷蔵効果を長時間持続させることができる。
【図面の簡単な説明】
【図１】図１は本発明の一実施例による容器の分解断面図である。
【図２】図２は図１に示した容器本体の上面図である。
【図３】図３は図２におけるＣ−Ｃ線方向の断面図である。
【図４】図４は本実施例による容器本体の図１とは９０度異なる方向に切断して示す断面図である。
【図５】図５は本実施例による蓋体の上面図である。
【図６】図６は図５に示した蓋体上面の要部斜視図である。
【図７】図７は図１に示した容器本体の底面図である。
【図８】図８は従来の容器本体の部分断面図である。
【符号の説明】
１      容器本体
１ａ    底壁
２      蓋体
２ａ    上面
１５    排水口
１７    排水溝
１９    筒状部
３０    凹所
３２    第１の凹所
３４    第２の凹所
３６    隔壁
３８    孔
【図１】
0004053795.tif 000002
【図２】
0004053795.tif 000003
【図３】
0004053795.tif 000004
【図４】
0004053795.tif 000005
【図５】
0004053795.tif 000006
【図６】
0004053795.tif 000007
【図７】
0004053795.tif 000008
【図８】
0004053795.tif 000009